(57)【要約】【課題】  プロジェクタなどの表示装置において、表示映像の明るさのトラッキング(ガンマ)特性及びホワイトバランスの調整を容易に行えるようにした表示装置及びその調整方式を提供する。【解決手段】  本発明の表示装置の表示画面には、映像信号、調整項目、ガンマ（ホワイトバランス）調整を補助するための調整パターン及び係る全ての調整値を表示し、白と黒とその中間のグレー領域に対する調整状態を同時に確認しながら調整できるようにすることにより、調整者の意図する特性に短時間で効率良く調整を行うことを可能とする。【選択図】図５
2005318028.tif 000002
【特許請求の範囲】
【請求項１】
入力映像信号にガンマ補正処理を施すガンマ補正手段と、
ガンマ調整のための調整パターン信号と、ガンマ補正量とを含む調整状態を表示するガンマ調整手段と、
前記入力映像から特定の静止画映像を抽出し、該静止画映像に前記ガンマ補正手段によりガンマ補正されたガンマ補正静止画映像を画面上に表示させる映像信号表示手段とを有し、
前記調整パターン信号、前記ガンマ補正量と前記ガンマ補正静止画映像とを同一画面上に表示するように構成したことを特徴とする表示装置。
【請求項２】
上記ガンマ補正手段は、映像信号の入力レベルに応じてガンマ調整とホワイトバランス調整の少なくとも何れかを調整するように構成され、該調整した調整量に基づくデータを記憶する記憶手段を有することを特徴とする請求項１に記載の表示装置。
【請求項３】
前記ガンマ調整手段は、予め用意された複数のガンマ特性の中から一つの特性を選択するように構成され、該選択したガンマ特性を基準に補正量を調整するように構成したことを特徴とする請求項１に記載の表示装置。
【請求項４】
前記調整パターン信号は、複数の調整パターン信号から選択して表示するように構成したことを特徴とする請求項１に記載の表示装置。
【発明の詳細な説明】
【技術分野】
【０００１】
本発明は、表示素子で形成した光学像を拡大して投射するプロジェクタや、表示素子としてプラズマディスプレイパネル，液晶パネルなどを用いた直視型テレビなどの表示装置に係り、特に表示画面上にガンマ調整やホワイトバランスなどの調整パターンを表示して、調整が容易に行えるようにした表示装置及びその調整方法に関する。
【背景技術】
【０００２】
表示素子として従来主流であったＣＲＴ（Cathode  Ray  Tube）では、映像信号入力レベルに対する表示映像の明るさ（輝度）即ち映像信号の入力レベル対輝度出力特性は、映像信号入力レベルのγ乗（通常γ＝２．２）に比例する非直線性（以下、この非直線性を「ガンマ特性」と称する）を有している。そのため、ＣＲＴを用いている一般的なＴＶ受像機では、放送局から送信される映像信号に上記非直線性とは逆の非直線性（入力レベル対輝度出力特性）を持たせ、表示映像の入力レベル対輝度出力特性が直線となるようにされている。
【０００３】
ところで、表示素子によっては、例えば液晶パネルでは上記γはγ＝２．２とは異なる値のガンマ特性（非直線性）を有しており、ＣＲＴに対応した逆非直線性の映像信号が液晶パネルに入力されると、表示映像の入力対輝度出力特性が直線とならない。そこで、ＣＲＴ以外の表示素子を用いた表示装置では、表示映像の入力対輝度出力特性が直線となるように、即ち、表示素子の有する非直線性に補正を施して、ＣＲＴの持つガンマ特性（非直線性）に一致するようにしている。この補正を以下「ガンマ補正」と称し、また補正特性を「ガンマ補正特性」と称する。
【０００４】
また、例えばＣＲＴを用いた表示装置であっても、様々な映像のジャンルに応じて入力レベル対輝度出力特性を変えたい場合もある。例えば、映画などの映像シーンでは暗い画面が頻度高く出現するので、暗い画面を見やすくするために、低階調の映像入力領域では、出力の表示映像の明るさ（輝度）を強調する特性となるように入力レベル対輝度出力特性に補正を加える。
【０００５】
以下、表示装置の有するこれらの上記した補正を「ガンマ補正」、このガンマ補正の特性を「ガンマ補正特性」、このガンマ補正特性に合わせる調整を「ガンマ調整」と称する。
【０００６】
ところで、従来の表示装置のガンマ調整方法として、例えば特許文献１に開示されている。特許文献１では、入力映像に重ねて、調整項目と、その調整値と、調整状態を確認するグレイスケールパターンである１０ＳＴＥＰ信号（調整パターン）などを画面上に表示し、操作キーを介して調整値を可変し、調整パターンに基づいて、調整状態を確認する方法が記載されている。
【０００７】
【特許文献１】特開平10-133163号公報
【発明の開示】
【発明が解決しようとする課題】
【０００８】
しかし、上記した特許文献１の技術は、製造現場でのガンマ調整や製品不具合時のサービス対応時におけるガンマ調整の効率向上を図ったものである。
【０００９】
従って、特許文献１の技術を用いた表示装置を使用している一般ユーザが、自分の好みに合うようにガンマ調整をしようと試みても、熟練した調整技術や調整のための信号発生装置・測定装置を持ち合わせていないので、表示している映像のどの部分の調整を行っているか解り難く、表示映像のどの階調の調整を行ったら良いのか、調整している階調が映像のどの明るさ(階調)に対応しているのか、入力映像に対してどのような調整が行われたか解り難い、といった課題があり、ユーザの好みの映像となるような調整を簡単に行うことは困難であると思われる。
【００１０】
本発明は、これらの課題に鑑みてなされたもので、その目的は、ユーザが意図する映像に短時間で容易に調整することを可能とする表示装置及びその調整方法を提供することにある。
【課題を解決するための手段】
【００１１】
前記課題を解決するため、本発明の表示装置は、入力映像信号にガンマ補正処理を施すガンマ補正手段と、ガンマ調整のための調整パターン信号と、ガンマ補正量とを含む調整状態を表示するガンマ調整手段と、前記入力映像から特定の静止画映像を抽出し、該静止画映像に前記ガンマ補正手段によりガンマ補正されたガンマ補正静止画映像を画面上に表示させる映像信号表示手段とを有し、前記調整パターン信号、前記ガンマ補正量と前記ガンマ補正静止画映像とを同一画面上に表示するように構成する。この構成により、調整階調の調整状態、他の階調の調整状態ならびに入力映像での調整状態を容易に確認できるようにしてユーザが簡単にガンマ補正量の調整することが可能となる。
【発明の効果】
【００１２】
本発明によれば、ガンマ特性の調整状態を容易に確認することが可能となり、エンドユーザのような熟練した調整技術を持ち合わせていない調整者においても短時間で簡単に、調整者の意図する好みの明るさ・ホワイトバランスに映像を表示できるガンマ調整方式・表示装置を提供することが可能となる。
【発明を実施するための最良の形態】
【００１３】
以下、本発明に関わる最良の形態について図面を用いて説明する。なお、各図において、共通な機能を有する要素には同一符号を付して示す。
【００１４】
図１は本発明を適用した表示装置の一実施例を示す概略ブロック構成図である。まず、ブロック構成について述べる。図１において、１は外部の信号源（図示せず）からのアナログの映像信号、２は入力されたアナログの映像信号をデジタル映像信号に変換するとともに、所定の映像信号処理を行う映像信号処理部、３はフレームメモリ、６はリモコン，操作パネルまたは通信ラインなどからなる入力手段、７は演算制御機能を有するマイクロプロセッサー（以下、「ＣＰＵ」と省略する）で、入力手段６からの操作入力に応じて、内蔵するＲＯＭ(図示せず)に記述されているプログラムに従って、表示装置全体を制御する機能を有する。３０は複数のガンマ補正特性データ９０や後述する複数の調整パターンデータ１００が予め記憶されている不揮発性のメモリ、８はＣＰＵ７からの制御に基づき後述する調整メニュー画像を形成するＯＳＤメニュー表示部８、３５はフレームメモリ３から読み出されて入力される映像と、ＯＳＤメニュー表示部からのメニュー表示と、ＣＰＵ７を介して入力されるメモリ３０に記憶されているグレイスケールパターンの調整パターンとをデジタル的に重ね合わせる重ね合わせ部である。４はＣＰＵ７によって設定されるガンマ補正特性に従って、入力映像に所定のガンマ補正を行うガンマ補正部、５はガンマ補正された映像信号を表示する表示素子である液晶パネルである。なお、メモリ３０内の９００は後述するユーザ設定ガンマ補正データである。
【００１５】
次に、動作について述べる。外部の信号源（図示せず）から映像信号１が映像信号処理部２に入力され、この映像信号処理部２によりデジタル信号に変換されて、フレームメモリ３にデジタルの映像信号が書き込まれる。フレームメモリ３から読み出された映像信号は、通常は、重ね合わせ部３５を介してそのままガンマ補正部４に入力され、ガンマ補正部４により所定のガンマ補正が行なわれ、表示素子である液晶パネル５で映像が表示される。
【００１６】
また、ＯＳＤメニュー表示部８からのメニュー表示がある場合（もしくはメニュー表示とグレイスケールパターンの調整パターンがある場合）には、フレームメモリ３から読み出された映像信号にメニュー表示（もしくはメニュー表示と調整パターン）が重ね合わされて液晶パネル５で表示される。
【００１７】
もし、後述する調整メニュー画面でガンマ調整が選択されると、ＣＰＵ７は、フレームメモリ３への入力信号の書き込みを禁止するように制御し、入力映像の特定のシーンで停止させ、入力映像を静止させて液晶パネル５に表示する。勿論、この場合にはガンマ調整メニューと調整パターンが重ね合わされて表示される（詳細は図６のフローチャートで後述する）。
【００１８】
メモリ３０には複数のガンマ補正特性が記憶されており、ユーザは入力手段６を用いて所望のガンマ補正特性を選んで、該ガンマ補正特性をガンマ補正部４に設定することができる。また、ガンマ補正部４に設定されたガンマ補正特性は、後述する調整メニューの中のガンマ調整の中で、ユーザによって調整することが可能である。
【００１９】
なお、上記構成で、入力の映像信号１がデジタル信号の場合は、映像信号処理部２はアナログ信号をデジタル信号に変換するＡ／Ｄ変換機能を有しない、もしくはＡ／Ｄ変換機能部をパスする機能を有する、ことはいうまでもない。
【００２０】
図２は図１のガンマ補正部４のガンマ補正特性を示した一例である。デジタル映像信号の入力階調レベルと表示映像の明るさ（輝度）の関係を示している。図２において、９はガンマ補正特性である。図中の黒丸（９ａ〜９ｈ）はガンマ調整点であり、後述する調整メニューの中のガンマ調整で調整を行う調整点を指定し、その各調整点の階調に対してガンマ補正特性の補正（明るさの変更）を行うことで、複数の階調の調整ができる。なお、ａ〜ｈは各ガンマ調整点に対する入力階調レベルである。以下、これらの階調を、ガンマ調整点の入力階調であることから、「調整階調」と称する。
【００２１】
予め複数のガンマ補正特性をメモリ３０にプリセットしておき、ユーザの最も気にいったガンマ補正特性に対して上述の調整を行うことにより調整時間の短縮が図れる。
【００２２】
本例では、ガンマ調整点９ａの入力階調レベルａは最低階調値（８ビット階調の場合は０）、ガンマ調整点９ｈの入力階調レベルｈは最高階調値（８ビット階調の場合は２５５）で、調整点の数は８としている。しかし、本発明はこれに限定されるものではない。
【００２３】
尚、調整点の間の入力レベル（階調）に対するガンマ補正値は前後の調整点のガンマ補正値から補間演算を行い決定される。また、ガンマ調整後のガンマ補正値は、メモリ３０にプリセットされたガンマ補正特性とは異なる名称（符号）を付して格納される。図１におけるメモリ３０内のユーザ設定ガンマ補正特性データ９００がこれに該当する。
【００２４】
図３はメモリ３０に予め格納されている画面上に表示する調整パターンの一例である。メモリ３０には予め複数の調整パターンデータ１００が格納されており、入力手段６からの指示命令により、調整パターン１０，１１，１２のような複数の調整パターンの中から一つの調整パターンを選択・切り替えて表示することができる。
【００２５】
図３において、調整パターン１０を構成するグレイスケールパターン（１０ａ〜１０ｈ）の各信号階調レベルを各ガンマ調整点（９ａ〜９ｈ）の調整階調値（ａ〜ｈ）と一致させることにより、ガンマ調整点の輝度と調整パターンの輝度が１対１で対応している。例えば図２のガンマ調整点９ｃを黒丸位置から白丸位置に明るくなるように調整すると、図２の点線で示す変化曲線９１のように、ガンマ調整点９ｃの輝度のみが変化し、グレイスケールパターン１０ｃのパターンの明るさ（輝度）のみが変化するため、他のガンマ調整点の影響を受けず、画面を見ながら順次調整を行っていくことで、複数の調整点の調整を繰り返し行う必要がなく、ガンマ調整を効率良く行うことができる。
【００２６】
図４は本発明によるガンマ調整のための調整メニューの一実施例である。図４において、ガンマ調整のための調整メニュー（以下、「ガンマ調整メニュー」と記す）１９は、調整項目を表示する調整項目表示部１３と、図２で述べた８つのガンマ調整点（９ａ〜９ｈ）の調整階調レベルを示すガンマ調整階調レベル表示部１４と、メモリ３０からガンマ補正部４に設定されたガンマ補正特性を基準（デフォルト）として、これから偏移した各ガンマ調整点における調整値を、スクロールバー１６１を用いて相対的にアナログ表示するスクロールバー表示部１６と、デフォルト値から偏移した各調整階調（ａ〜ｈ）における調整値を相対数値で表示するガンマ調整値表示部１５と、外部から入力される入力映像の通常表示／静止表示の状態を表示するＰＬＡＹ／ＰＡＵＳＥ状態表示部２０と、選択されたガンマ調整の調整色を表示する調整色表示部２１と、からなる。
【００２７】
なお、図４おいて、２２はガンマ調整階調レベル表示部１４の調整階調（ａ〜ｈ）を選択する際の方向ボタンの種類を指定する左右カーソル、２３はガンマ調整階調レベル表示部１４の選択された調整階調（ａ〜ｈ）を示すとともに、選択された調整階調でガンマ補正特性を変更する際の方向ボタンの種類を指定する上下カーソルである。また、２４は上位の階層に戻る際の方向ボタン（例えば左方向ボタン）の種類を指定するカーソルである。
【００２８】
ここで、図７を用いて入力手段６の一例であるリモートコントローラ（以下、「リモコン」と省略する）上に配置されている以下の説明に関連する主なボタンについて説明する。図７は入力手段の一例であるリモコンのボタン配置を示すものである。図７において、６０１は例えば調整メニューを表示させるメニューボタン、６０２は表示映像の通常表示（動画表示）と静止表示とを交互に切り替えるＰＬＡＹ／ＰＡＵＳＥボタン、６０３は例えば図３で図示したような複数の調整パターンから所望の一つを選択するための調整パターン選択ボタン、６０４は上下方向ボタン、６０５は左右方向ボタン、６０６は決定ボタン、６０７はメモリ３０に記憶されているガンマ補正特性（後述するユーザ設定ガンマ補正特性も含む）の内から所望のものを選択するガンマ選択ボタン、６０８はガンマ調整の際に用いるガンマ調整の調整色を選択する調整色選択ボタンである。なお、以下の説明では、便宜上、入力手段６としてリモコンを用いるものとする。
【００２９】
図４に戻って説明を続ける。ガンマ調整メニュー１９を表示している状態において、入力手段６である例えばリモコンに設けられている例えば左右方向ボタン６０５で、上下カーソル２３を動かしてガンマ調整階調レベル表示部１４のガンマ調整を行う調整階調（ガンマ調整点）を選択する。上下カーソル２３のある位置で選択された調整階調が表示されている。そして、選択された調整階調（ガンマ調整点）で、例えば上下方向ボタン６０４により映像の明るさを調整する。調整値は、デフォルト値を基準にして、ガンマ調整値表示部１５にその相対数値が表示され、またスクロールバー表示部１６にスクロールバー１６１を用いて表示され、入力レベル全体の階調に対する全ての調整状態を調整値とスクロールバーで同時に表示させることにより、ユーザは全体の調整状態を容易に確認することができる。なお、ガンマ調整結果は、調整する毎に、ＣＰＵ７により、メモリ３０（図１のメモリ３０内のユーザ設定ガンマ補正特性データ９００）中に所定のユーザ登録名（本例では「GAMMA〔CUSTOM1〕」）を付して格納される。この時、CUSTOMの符号（ここでは数字）は、調整した元のプリセットされたガンマ補正特性がわかるように、調整した元のガンマ補正特性のプリセットの符号に対応したものにする。これは、ガンマ補正状態がデフォルト値を基準にして示されるため、基準の元のプリセットされたガンマ補正特性がわかるようにするためである。従って、図４の例では基準のプリセットされたガンマ補正特性の名称は、例えば「GAMMA〔PRESET1〕」とされる。
【００３０】
図５は本発明によるガンマ調整方式の表示画面の一例である。図５において、液晶パネル５の表示画面には、所定のガンマ補正特性で補正された静止画の入力映像１８が表示されている。そして、図から明らかなように、画面上部には調整パターン１７（例えば図３に示す調整パターン１０）が表示され、画面右下にはガンマ調整メニュー１９が表示されている。このように、本発明では、ガンマ補正された入力映像１８、ガンマ調整を補助するための調整パターン１７、調整項目及び調整値(数値及びスクロールバー)を表すガンマ調整メニュー１９とを同一画面上に表示している。従って、調整パターン１７とガンマ調整メニュー１９でガンマ調整した結果を、入力映像１８で容易に把握することができる。もし、別の映像で調整状態を確認したいならば、入力手段６のＰＬＡＹ／ＰＡＵＳＥボタン６０２操作で静止画表示を動画表示に変え、所望の画像の所で再度ＰＬＡＹ／ＰＡＵＳＥボタン６０２を操作して静止画表示に変えることにより、容易に別の静止画映像で調整状態を確認することができる。なお、入力映像が動画か静止画かはガンマ調整メニュー１９のＰＬＡＹ／ＰＡＵＳＥ状態表示部１６で把握できる。
【００３１】
図８に調整メニュー画面の一例を示す。図８において、調整メニュー７００には映像の項目が表示されており、例えば「映像」を選択すると、映像に関する調整項目７０１が表示される。そして例えば上下方向ボタン６０４で例えばカーソル７０２を移動させて調整項目「ガンマ」の位置に合わせ、決定ボタン６０６を押下すると、調整項目「ガンマ」が選択されて、図５で図示するように、液晶パネル５の表示画面に調整パターン１７とガンマ調整メニュー１９が表示される。
【００３２】
図６に本発明によるガンマ調整方式の一実施例であるフローチャート図を示す。なお、以下では、最初の調整なので、メモリ３０には予めプリセットされているガンマ補正特性しかないものとし、現在設定のガンマ補正特性は初期設定されたものであるとして説明する。本実施例によるガンマ調整方式では、図６に示すように、ガンマ調整する場合、ユーザは、まず入力手段６のメニューボタン６０１を操作する。ＣＰＵ７はこれを受けて、ステップ５０１（以下、ステップを「Ｓ」と省略する）で調整メニュー７００を表示する。ユーザにより表示された項目の中からガンマ調整が選択されると、図５に示すように、ＣＰＵ７は液晶パネル５の表示画面に初期設定されている調整パターン１７とガンマ調整メニュー１９を表示する（もし、最初の調整でないならば、前回用いられた調整パターンと現在ガンマ補正部４に設定されているガンマ補正特性に対応したガンマ調整メニューを表示する）。次に、ユーザにより入力映像の特定のシーンで、入力手段６の例えばＰＬＡＹ／ＰＡＵＳＥボタン６０２が操作され、調整画面が選択されると、ＣＰＵ７は映像を静止させる。このことにより、調整の際、動きのある映像が入力されていても静止した映像が表示されるため、映像のどの部分の調整を行っているのか容易に確認できる。
【００３３】
そして、ユーザが所望のガンマ調整用の調整パターンを選択するために、入力手段６の調整パターン選択ボタン６０３を操作すると、ＣＰＵ７は交互に例えば図３に示すような調整パターン１０，１１，１２をユーザ操作の度に例えばサイクリックな順で表示する。このようにして所望のガンマ調整用の調整パターンが選択される（Ｓ５０２）。
【００３４】
次に、Ｓ５０３でメモリ３０に記憶されているプリセットされたガンマ補正特性の内から所望のものを選択する。例えば入力手段６のガンマ選択ボタン６０７が操作されると、ＣＰＵ７は操作毎にメモリ３０に記憶されているガンマ補正特性の名称（例えば、「GAMMA〔PRESET1〕」，「GAMMA〔PRESET2〕」，・・・）をガンマ調整メニュー１９の調整項目表示部１３にサイクリックな順に表示するとともに、対応するガンマ補正特性をガンマ補正部４に設定して、対応するガンマ補正特性で調整パターン１７や入力映像を表示するので、所望のガンマ補正特性を選択することができる。
【００３５】
そして、Ｓ５０４でガンマ調整の調整色を選択する。例えば入力手段６の調整色選択ボタン６０８が操作されると、ＣＰＵ７は操作毎にガンマ調整メニュー１９の調整色表示部２１の白（Ｗ），赤（Ｒ），緑（Ｇ），青（Ｂ）を順にハイライトして選択色を示すので、所望の調整色を選択することができる。製品出荷時にはホワイトバランスがとれているので、通常は白のガンマ補正特性の調整を選択する。ガンマ補正特性は、赤色，緑色，青色の各色のガンマ補正特性からなるが、白の場合は、各色のガンマ補正特性を同時に調整する。
【００３６】
次に、Ｓ５０５で、上記ステップで選択された所望ガンマ補正特性に対応したガンマ調整メニュー１９を確認する。
【００３７】
次に、Ｓ５０６で調整したい調整階調を選択する。この選択は、例えばガンマ調整メニュー１９内の上下カーソル２３の位置を例えば入力手段６の左右方向ボタン６０５で左右に動かして選択する。そして、Ｓ５０７で選択した調整階調の輝度レベルを入力手段６の上下方向ボタン６０４を用いて調整パターン１７と静止画映像１８で確認しながら調整する。この時、調整パターン１７として図３で示した調整パターン１０が用いられ場合、調整パターンの各グレイスケールパターン（例えばｃ）の階調はガンマ調整メニュー１９内のガンマ調整階調レベル表示部１４の各調整階調（例えばｃ）と１：１に対応しており、且つ、図２で述べたように、該調整階調の調整値が前後の調整階調の調整値及びパターンに影響を及ぼさないため複数の調整点を繰り返し調整する必要がなく、どの映像レベルに対して調整を行っているかも容易に確認可能である。さらに、調整状態のデフォルトからのずれ量をガンマ調整値表示部１５の相対数値とスクロールバー表示部１６のスクロールバー１６１の位置で把握することができるので、ユーザは全ての調整階調に対してどのような調整を行ったかを簡単に確認できる。
【００３８】
次に、例えばＳ５０６とＳ５０７を各調整階調毎に繰り返し、Ｓ５０８で所望通りとなったら、Ｓ５０９でメニューボタン６０１を操作して、調整パターン１７とガンマ調整メニュー１９を消去して、ガンマ調整を解除する。この時、入力映像は動画状態に戻される。
【００３９】
もし、Ｓ５０８で白を例えば青味がかった白にしたい場合には、Ｓ５０４に戻り、調整色を青色として、Ｓ５０５、Ｓ５０６、Ｓ５０７を繰り返す。このように、本実施例は、入力映像信号に対するガンマ補正特性を赤・青・緑それぞれ独立に調整するホワイトバランス調整に適用可能であることは明らかである。
【００４０】
なお、上記では特に説明してないが、Ｓ５０３でガンマ補正特性を選択した後、該ガンマ補正特性を例えば上下方向ボタン６０４を操作して調整した場合には、予めプリセットされたガンマ補正特性が変更されたものとして、ガンマ調整メニュー１９の調整項目表示部１３の名称例えば「GAMMA〔PRESET1〕」を自動的に名称符号を対応させて相異なるユーザ登録名称例えば「GAMMA 〔CUSTOM1〕」に設定し、メモリ３０に保存する。この保存操作は例えば上下方向ボタン６０４が操作される毎になされる。
【００４１】
また、本実施例では、Ｓ５０６で、上下カーソル２３の位置を例えば入力手段６の左右方向ボタン６０５で左右に動かして選択する際、選択された調整階調に対応した調整パターン１７のグレイスケールパターンを例えば太枠でハイライトするようにしてないが、ハイライトするようにしてもよい。ハイライトすれば、調整状態がより明確となり、操作性が向上する。
【００４２】
また、本実施例では、赤色，緑色，青色の各色のガンマ補正特性を個別に調整できるようにしているが、これに限定されるものではなく、個別の調整が用いられない場合には、図６のフローチャート図において、Ｓ５０４のステップを削除してもよい。
【００４３】
また、上記では、調整パターンを重ね合わせ部３５に入力しているが、これに限定されるものではなく、例えば、フレームメモリ３にメモリ３０内の調整パターンデータをＣＰＵ７を介して転送し、フレームメモリ３から入力映像データを読み出す時に、調整パターン表示領域の入力映像データを調整パターンデータに置き替えるようにしてもよい。
【００４４】
また、本実施例では、プリセットされたガンマ補正特性を基準にユーザが調整した結果を調整値としてガンマ調整値表示部１５とスクロールバー表示部１６に相対値で表示しているが、これに限定されるものではなく、それぞれの調整階調に対応するガンマ補正値を絶対値で表示するようにしてもよい。
【００４５】
以上、説明したように本発明によると、調整の際に特別な調整技術・装置を必要とせず、短時間で、効率的に意図する明るさの映像が得られる表示装置及びその調整方法を提供できる。
【図面の簡単な説明】
【００４６】
【図１】本発明による表示装置の一実施例を示す概略ブロック構成図である。
【図２】図１のガンマ補正部のガンマ補正特性。
【図３】本発明によるガンマ調整用の調整パターンの実施例を示す図である。
【図４】本発明によるガンマ調整メニューの一実施例を示す図である。
【図５】本発明の表示装置におけるガンマ調整画面の一実施例を示す説明図である。
【図６】本発明の調整方式の一実施例を示すフローチャートである。
【図７】入力手段の一例であるリモコンのボタン配置例を示す図。
【図８】調整メニュー画面の一例を示す図。
【符号の説明】
【００４７】
１…映像信号、２…映像信号処理部、３…フレームメモリ、４…ガンマ補正部、５…液晶パネル、６…入力手段、７…ＣＰＵ、８…ＯＳＤメニュー表示部、９…ガンマ補正部のガンマ特性の例、１０，１１，１２…調整パターン、１３…調整項目表示部、１４…ガンマ調整階調レベル表示部、１５…ガンマ調整値表示部、１６…スクロールバー表示部、１７…調整パターン、１８…入力映像、１９…ガンマ調整メニュー、２０…ＰＬＡＹ/ＰＡＵＳＥ状態表示部、２１…調整色表示部、２２…左右カーソル、２３…上下カーソル、２４…カーソル、３０…メモリ、３５…重ね合わせ部、９０…ガンマ補正特性データ、１００…調整パターンデータ、６０１…メニューボタン、６０２…ＰＬＡＹ／ＰＡＵＳＥボタン、６０３…調整パターン選択ボタン、６０４…上下方向ボタン、６０５…左右方向ボタン、６０６…決定ボタン、６０７…ガンマ選択ボタン、６０８…調整色選択ボタン、７００…調整メニュー、７０１…調整項目、７０２…カーソル、９００…ユーザ設定ガンマ補正特性データ
【図１】
2005318028.tif 000003
【図２】
2005318028.tif 000004
【図３】
2005318028.tif 000005
【図４】
2005318028.tif 000006
【図５】
2005318028.tif 000007
【図６】
2005318028.tif 000008
【図７】
2005318028.tif 000009
【図８】
2005318028.tif 000010